(57)【要約】      （修正有）【課題】ＵＳＢインタフェースの機能を持つメモリカードを提供する。【解決手段】インタフェース接続デバイスが、ケーシング内に配置されており、導線ワイヤ回路のレイアウトを有しているプリント回路基板、データ保存デバイスとして働くメモリアレイ、内部メモリ内に保存されているデータを変換しインタフェース信号の変換を完了しインタフェースとメモリ部品の間でデータを伝送するのに必要な回路を備えている２重インタフェースコントローラ、プリント回路基板と接続するワイヤを提供しアプリケーションシステムのスロットソケットとかみ合う外部ピンホールまたは接続ピンを有しているシステムインタフェース接続デバイス、別のインタフェーススロットソケットとかみ合うピンホールまたは接続ピンを有している別のインタフェース接続デバイスを収容し保持するケーシングを備えている。【選択図】図８
2007115265.tif 000002
【特許請求の範囲】
【請求項１】
ケーシング内に配置されており、導線ワイヤ回路のレイアウトを有しているプリント回路基板、少なくともメモリ要素を備えており、データ保存デバイスとして働くメモリアレイ、ハウジング内に配置されている内部メモリ内に保存されているデータを変換し、インタフェース信号の変換を完了し、また、インタフェースとメモリ部品の間でデータを伝送するのに必要な回路を備えている２重インタフェースコントローラ、ケーシングの外に露出しており、プリント回路基板と接続するワイヤを提供し、アプリケーションシステムのスロットソケットとかみ合う外部ピンホールまたは接続ピンを有しているシステムインタフェース接続デバイス、ケーシングの外に露出しており、プリント回路基板と接続するはんだ接合部を提供し、別のインタフェーススロットソケットとかみ合うピンホールまたは接続ピンを有している別のインタフェース接続デバイスを収容し、また、保持するケーシングを備えている、２重インタフェース接続デバイスを持っていることを特徴とするメモリ記憶装置。
【請求項２】
別のインタフェースが、インタフェース接続デバイスがＵＳＢ信号端に固定されているＵＳＢインタフェースであり、ＵＳＢインタフェースコネクタが標準のＵＳＢインタフェーススロットソケットの内部空間の高さと適合する高さを有している、低い高さの接続デバイスであることを特徴とする請求項１に記載のメモリ記憶装置。
【請求項３】
読み取り専用スイッチまたはデバイスが、外部に露出するように備わっていることを特徴とする請求項１に記載のメモリ記憶装置。
【請求項４】
信号光源が外部に搭載されていることを特徴とする請求項１に記載のメモリ記憶装置。
【請求項５】
分離可能なカバーガードが、コネクタに合わせ、また、保護するために備わっていることを特徴とする請求項１に記載のメモリ記憶装置。
【請求項６】
ＵＳＢスロットソケットに挿入されることができる、インタフェースコネクタ無しの２重インタフェースメモリ記憶装置であって、以下の電子部品、すなわち、必要な導線ワイヤを持つ回路レイアウトを提供し、ケーシングの外側に露出する金属導線ワイヤ部のセットを有しているプリント回路基板、少なくとも、データを保存するメモリ要素を備えているメモリアレイのセット、メモリ要素のデータをＵＳＢインタフェース仕様に合った信号に変換し、ＵＳＢ信号をメモリ要素に保存されるようなデータに変換し、回路ループを形成するために、メモリアレイのセットと接続する２重インタフェースコントローラ、プリント回路基板に固定して取り付けられているが、ＵＳＢインタフェースとは互換性がない通常のインタフェースコネクタを収容し、また、開口を有しているケーシングを備えていることを特徴とする２重インタフェースメモリ記憶装置。
【請求項７】
回路レイアウトを提供しているプリント回路基板と、プリント回路と結合するためのサイズを提供しているケーシングと、回路基板上に配置され、また、形成されており、プリント回路基板がケーシングに結合された後に、接続デバイスの外側に露出する、金属導線ワイヤのセットとを備えており、対応しているデバイスのサイズと高さが、ＵＳＢスロットソケットに挿入されることができるように、ＵＳＢスロットソケットの内部と互換性がある電子信号接続デバイスが、ケーシングがプリント回路基板と結合されるとすぐ、金属銅線ワイヤ部で形成されることができることを特徴とする請求項６に記載の２重インタフェースメモリ記憶装置。
【請求項８】
既存のメモリカードインタフェースコネクタまたは接続デバイスと同じコネクタまたは接続デバイスが、ケーシングがプリント回路基板と結合されるとすぐ、金属銅線ワイヤ部で形成されることができることを特徴とする請求項６に記載の２重インタフェースメモリ記憶装置。
【請求項９】
既存のメモリカードインタフェースコネクタまたは接続デバイスが、プリント回路基板に固定され、記憶装置の外側に露出することを特徴とする請求項６に記載の２重インタフェースメモリ記憶装置。
【請求項１０】
読み取り専用スイッチまたはデバイスが、データが記憶装置に書き込まれるのを防ぐために、外部に露出するように備わっていることを特徴とする請求項６に記載の２重インタフェースメモリ記憶装置。
【請求項１１】
信号光源が、読み取りまたは書き込みの動作状態を示すために、外部に搭載されていることを特徴とする請求項６に記載の２重インタフェースメモリ記憶装置。
【請求項１２】
分離可能なカバーガードが、ＵＳＢインタフェース信号接触端に対して適合し、また、保護するために、備わっていることを特徴とする請求項６に記載の２重インタフェースメモリ記憶装置。
【発明の詳細な説明】
【技術分野】
【０００１】
本発明は、低い高さのＵＳＢインタフェース接続デバイスおよびそのメモリ記憶装置に関する。
【背景技術】
【０００２】
現在、多くの種類のメモリカードが電子生産品に利用でき、同じ型の生産品が異なる設計から作られたとしても、それぞれの生産品のメモリカードは互いに異なっている。そうであるけれども、種々のメモリカードは、メモリカードのディジタルデータがデータ処理のためにコンピュータに送信されることができるという共通の特徴を有している。
【０００３】
メモリカードのデータを読むことができるために、データがコンピュータにより処理されることができる前に、フラッシュカード、ＳＤカード、ＭＭＣなどのような、異なるメモリカードに適合する種々のカードリーダが用意されている。しかし、その構成はユーザを不便にしている。もちろん、ある型のカードリーダは、より多くのメモリカードの仕様を提供できるが、高価格で、ユーザに大きな財政的な負担を与えている。
【発明の開示】
【発明が解決しようとする課題】
【０００４】
そのため、カードリーダを用いて、改善し、縮小することができ、また、より多くの施設で、また、通常の操作の実践により使用されるように、現存するシステムハードウェアを持つコンピュータインタフェースと互換性があるメモリカードを、コンピュータ周辺回路の１つとしてどのようにして作るかは、我々が深く考えるに値する課題である。
【０００５】
ＵＳＢインタフェースは、多くのコンピュータ周辺インタフェースの中で、コンピュータとカードリーダの間のデータ伝送に、最も広く適用されているため、本発明の目的は、ＵＳＢインタフェースカードリーダの機能を持つメモリカードを提供することである。すなわち、メモリカードは、ＵＳＢインタフェースカードリーダを必要とすることなく、信号の変更およびコンピュータとの接続を実行するために、ＵＳＢスロットソケットに挿入されることができる。
【課題を解決するための手段】
【０００６】
前述の目的を達成するために、初めに、薄い厚みのコネクタが開示されており、コネクタは、ＵＳＢコネクタに対する工業標準には合っていないけれど、ＵＳＢスロットソケットに対して、互換性があり、また、挿入されることができる。利用できる種々のメモリカードは、それぞれ、非常に薄い厚みを提供しているため、標準のＵＳＢインタフェースコネクタは、あまりにも高い厚みを提供するため、メモリカードと積層されることができない。こうした理由で、本発明において、標準のＵＳＢコネクタが修正されている。
【０００７】
本発明は、以下の説明および付随する図を参照して、より十分に理解されることができる。
【発明を実施するための最良の形態】
【０００８】
図１を参照すると、本発明の原理を詳細に説明するために、伝統的なＵＳＢインタフェースコネクタが最初に説明されている。コネクタ端のプラグが左端に、ホスト端のスロットソケットが右端にあることが図１において見ることができる。この図において、参照番号１０４Ａおよび１０４Ｂは、電気信号をシールドする、プラグのケーシングとスロットソケットのケーシングとして示されている。
【０００９】
図２を参照すると、本発明によるＵＳＢの低い高さのコネクタ１００は、金属端子１０１、２つの突出片（ｊｕｔ ｐｉｅｃｅｓ）１０２およびコネクタ部１０３を備えている。金属端子１０１は、数、距離およびサイズにかかわらずに、標準のＵＳＢインタフェースコネクタの金属シートと同じである、複数の金属シートで構成されている。コネクタ部１０３は、コネクタ部１０３の両側面で、それぞれ突出片１０２が固定して取り付けられているか、または、それぞれ突出片１０２を一体にして延びている点で、標準のＵＳＢインタフェースコネクタと異なっている。コネクタ部１０３は、コネクタ部１０３が信号を伝送するためにスロットソケットに挿入されるように、標準のＵＳＢインタフェーススロットソケットの内部空間の高さと同じ厚み（図１で「ｈ」）を備えている。それぞれの突出片１０２は、コネクタ部１０３がスロットソケットに逆に挿入されることによりもたらされる不正確な信号接続を防ぐために使用されるため、全体のコネクタが標準のＵＳＢコネクタの高さよりずっと低い高さを有している。その上、コネクタ部１０３は、標準のＵＳＢコネクタのように、標準のＵＳＢコネクタインタフェースに挿入されている間に、かみ合い力を強化するために、外部凹所（図２で１０２Ａ）を提供でき、コネクタ１００は、閉回路の状態が得られるように、直接はんだ付けすることによりプリント回路基板２０１と結合される。
【００１０】
図１と比較すると、図２において、コネクタ１００の厚みが大きく減ぜられるように、本発明のコネクタ１００が図１に示されるケーシング１０４Ａを提供していないことが見てとられる。もともと、ケーシング１０４Ａは、ＵＳＢケーブルから生ずる信号遅延効果をシールドおよび低減するために備わっている。コネクタ１００はメモリカード上に配置されているため、伝統的なＵＳＢケーブルは必要ではなく、シールド信号を絶縁する機能を有しているケーシングは本発明のコネクタ部１０３から取り除かれることができる。したがって、ＵＳＢインタフェースコネクタは、平らにされ、ＵＳＢインタフェース生産品は、カード形状の型の傾向で開発されることができる。さらなる説明は、以下で述べられるであろう。
【００１１】
図３を参照すると、本発明において開示されている２重インタフェースメモリカードデバイスにおける回路のブロック図が説明されている。メモリカードが２つのディジタルデータ伝送インタフェース、アプリケーションシステムインタフェースおよびＵＳＢインタフェースを有していることが見てとられる。データがシステムコネクタ１５０を介して、適用された（ａｐｐｌｉｅｄ）システムからメモリカードへ伝送された後、データは内部メモリ１６０に保存される。メモリカードが適用されたシステムから取り出されると、以前に設計されたＵＳＢの低い高さのコネクタ１００が、コンピュータの主ユニットのＵＳＢインタフェースと接続するために使用されることができる。すなわち、メモリカードがコンピュータのＵＳＢスロットソケットに挿入されるとすぐ、ＵＳＢ導線ワイヤおよびＵＳＢインタフェースカードリーダを介することなく、データがコンピュータ主ユニットに伝送されることができる。その場合、２重インタフェースコントローラ１４０は、関連する適用されたシステムインタフェースをＵＳＢインタフェースに変える機能を提供している。
【００１２】
図４を参照すると、本発明による、２重インタフェースメモリカードの通常例の１つが実際に説明されている。カバーガード７１を取り付けられたメモリカード７０は、適用されたシステムにおいて使用されることができる通常のメモリカードと同じサイズを提供している。メモリカード７０がシステムから取り出された場合、露出されたコネクタ７２は、カバーガード７１が取り外されている限り、ＵＳＢインタフェーススロットソケットに挿入されることができる。使用中、このことが非常に都合が良い。
【００１３】
したがって、上述の低い高さのコネクタは、メモリカードに対して、直接にまたはその逆に、ＵＳＢ信号を導き、かつ、データを書き込むのに使用される。こうして、２つの異なるインタフェ−スコネクタを持つメモリカードが完成する。その間、読み込み専用スイッチ７３と信号光源７５は、データセキュリティのために、メモリカードの外の部分に配置されている。スイッチ７３が読み込み専用モードに切り換えられる時、データをメモリカードに書き込むことを不可能にするように、メモリカードのみがデータ読み込みの機能のみを提供する。スイッチ７３が正常モードに切り換えられると、メモリカードは読み込みおよび書き込み機能により、正常に使用されることができ、信号光源７５はＵＳＢデバイスの動作状態を示すために使用される。
【００１４】
さらに全体システムを、また、削除されているアプリケーションシステムインタフェースを単純化するために、ＵＳＢインタフェースシステムは、変更できないままにされることができ、低い高さのコネクタは、図５に示されている、きわめて薄いＵＳＢインタフェースメモリカードとして作られることができる。図５に示されているＵＳＢインタフェースメモリカードは、現在の、標準のＵＳＢインタフェースコネクタと対照的に、より軽く、より薄く、より短く、また、より小さなサイズを備えていることが見てとれる。これは、伝統的なＵＳＢインタフェースメモリデバイスが、本発明において開示されている技術により形を平らにされることができることを意味しており、その結果、それは革新的な生産品設計で有り得る。
【００１５】
再び、図２を参照すると、信号は、プリント回路基板２０１の金属導電パッドにはんだ付けされている端子１０１により、コネクタ１００の金属端子１０１を通過後、メモリ記憶装置に入ってもよい。回路上のはんだ接合部は、データの高速度伝送に影響を与える伝送線のインピーダンス変化を生ずるかもしれないことは良く知られている。従って、どのようにしてはんだ接合部を取り除くかが、本発明の別の目的である。はんだ接合部を除去する方法は、コネクタを用いる代わりに、主ユニットのＵＳＢ端子を介して、メモリ記憶装置のプリント回路基板の金属導電片に接触している信号により、行われることができる。これは、製作者により容認されている、いわゆる、金の指（ｇｏｌｄｅｎ ｆｉｎｇｅｒ）という設計概念である。すなわち、高速度伝送を実行する間、メモリ記憶装置の電子的特性を向上するために、回路接続に対してコネクタの代わりに直接接触が使用されている。
【００１６】
図６を参照すると、コネクタ無しの設計の原理がさらに説明されている。ＵＳＢ接触端を持つＵＳＢコネクタ１１０無しの平面電極接触が、図６に示されており、ベース１１３とフールプルーフ突起片１１２と結合させられているプリント回路基板２０２が、ケーシング１１４と一体にされ、プリント回路基板２０２の２つの向かい合う側面に配置された後に、コネクタ１１０の全体の高さが主ユニットのＵＳＢスロットソケット内に収容されることができる。プリント回路基板２０２上に置かれた金属接続片１１１は、図２に示されている金属端子１０１を置きかえるために利用されている。そのため、上述のコネクタが組み立てられると、コネクタは、図２に示されているコネクタと同じ機能を提供するため、平面電極接点１１０は、伝統的なＵＳＢコネクタの代わりに使用され、回路上のはんだ接合部から生じる欠陥が完全に除去されることができる。さらに、生産操業中に生産品の設定を行う工程が実質的に単純化されることができる。その上、ベース１１３はまた、標準のＵＳＢコネクタのように、標準のＵＳＢインタフェースに挿入されている間に、かみ合う力を強化するために、外部凹所（図１３で１１２Ａ）を提供できる。
【００１７】
図７を参照すると、本発明によるＵＳＢメモリカードシステムのシステムブロック図が説明されている。システム５００は、ＵＳＢ金接点５０１を持つプリント回路板、ＵＳＢコントローラ５０２およびメモリ要素アレイ５０３を備えている。上述したように、記憶装置の信号は、閉ループを形成するために、コネクタおよびはんだ接合部をもはや通らないで、ホストコネクタのＵＳＢ金属端子と接続する。
【００１８】
図８を参照すると、本発明において開示されている、ＵＳＢインタフェース平面電極接点を持つ、ＵＳＢインタフェースデータ記憶装置が説明されている。図８に示されているメモリ記憶装置の厚みは、大きく減ぜられ、それにより、使いやすさが増すことにより可搬性が効果的に向上させられている。ＵＳＢコネクタ３００Ａ無しの平面電極接点は、図６に示されているのと同じ設計原理により形成されている。信号光源１１４Ａは、記憶装置の動作状態を示すために、メモリカード上に配置されている。読み込み専用スイッチ２０２Ｃは、データが偶然に隠されたり、消去されることがないようにされ、データに対するセキュリティが効果的に向上させられるようにするために備わっている。
【００１９】
上述した方法から、新たなＵＳＢ記憶装置がさらに開示されており、新たなＵＳＢメモリ記憶装置は、通常のＵＳＢコネクタにおいて使用されるよりもずっと低い高さを提供するのみならず、余分のはんだ接合部を減ずるためのコネクタを必要としない。
【００２０】
さらに、本発明において開示されているＵＳＢインタフェース平面電極接点は、標準のＵＳＢコネクタ部の高さを低くするために、現在使用されている種々のメモリ記憶装置に搭載されることができるため、２つの異なるインタフェースコネクタを持つ新規の記憶装置の開発を可能にしている。２つの異なるインタフェースコネクタを持つ新規の記憶装置は、以下に、さらに説明されるであろう。図９を参照すると、メモリスティックカード、ＳＤカードなどのような上述のＵＳＢインタフェースコネクタを持ち、また、アプリケーションシステムを持つメモリ記憶装置に対するシステムブロック図が示されている。その中で、システム５００Ａは、上述のＵＳＢ平面電極接点５０４、通常のアプリケーションシステムに対するコネクタ５０５、データをＵＳＢ信号とアプリケーションインタフェース信号に変える２重インタフェース信号スイッチを持つコントローラ５０６およびメモリアレイのグループ５０７を備えている。
【００２１】
図９において説明されているブロック図の実際の設計を説明するために、メモリスティックカードがシステム設計に対する例として考えられ、フレームワークが適切に手配される限りは、以下において開示される設計方法が他のメモリ記憶装置に適用されることができる。図１０を参照すると、ＵＳＢ信号を読み込み、書き込みを行うために備えられているＵＳＢ信号接触端３００があり、異なるメモリカードに依存する異なる仕様を備えているメモリスティックカード（アプリケーションシステム）のインタフェース端４００があることが、メモリスティックカードの断面図から見てとれる。すなわち、メモリ記憶装置は、２つの異なるインタフェース端、ＵＳＢインタフェース端とアプリケーションインタフェース端を有することができ、その中で、ＵＳＢインタフェース端は、ホスト端信号に接続されているインタフェースおよびデバイスとアプリケーションシステムの間で信号を接続する、ＭＭＣ、ＳＤ…などのようなアプリケーションインタフェース端として働いている。
【００２２】
図１０に示されているメモリ記憶装置がメモリスティックのアプリケーションシステムにおいてその仕事を実行し終わって、システムから取り出される時、別の端のＵＳＢインタフェースコネクタ３００は、ＵＳＢインタフェースを介してコンピュータにデータを送ることができる。ＵＳＢインタフェースコネクタ３００は、カードリーダを介してデータ伝送を実行する必要がないように、ホストＵＳＢスロットソケットに挿入されることができる。その表面上のプリント回路基板２０２は回路要素２０２Ａを持っており、ケーシング１１４と１１３Ａはプリント回路板２０２を囲んでいる。金接点１１１、１１１Ａはプリント回路板２０２上に配置され、ＵＳＢ接点導体とメモリスティックカードの接点導体を形成している。
【００２３】
本発明は、現存するメモリカードに適用できるようにするために、図２のＵＳＢコネクタの高さを低減する方法を開示しており、さらに、回路上のはんだ接合部の数を減らし、高速度信号伝送下において適度の磁気抵抗により回路の性能を向上させるために、コネクタを除去する方法を開示していることが、上述の説明から要約されている。
【００２４】
図１１を参照すると、メモリ記憶装置、たとえば、メモリスティックカードが、プリント回路基板２０２と２つのケーシング１１４と１１３Ａを提供していることが、解体された斜視図から見てとることができる。ＵＳＢインタフェースコネクタは、本発明のメモリ記憶装置にはもはや含まれていなくて、上述の実施形態がそうであるように、メモリ記憶装置の動作状態を示すために、信号光源１１４Ａがケーシング１１４に固定して取り付けられていることが、図９のブロック図と解体された斜視図から学ぶことができる。さらに、読み込み専用スイッチ２０２Ｂは、読み込み専用スイッチ２０２Ｂが適切なモードに切り換えられている場合に、データが書き込まれたり、隠されたり、または、削除されたりすることを防ぐために、メモリ記憶装置上に配置されている。図１２と１３を参照すると、２つの異なるインタフェース接点３００、４００が備わっており、インタフェース接点３００は、メモリカードが低い高さの特徴を維持することを可能にするように、本発明において開示されている設計方法に従ってメモリカード上に配置されているＵＳＢインタフェース接点であることが、メモリ記憶装置の平面図と底面図から学ばれることが出来る。さらに、カバーガードがＵＳＢ接点の部分を保護するために付加されることができる。図１４は、コネクタに対して、取り外し可能か、または、しっかりと取り付けられてもよい、移動可能なカバーガード３０１を示している。
【００２５】
上述したように、アプリケーションシステム端のインタフェースが除去され、ＵＳＢインタフェースが変更されないままにされている時、ＵＳＢインタフェースのみを持つメモリ記憶装置が形成されることができる。通常のＵＳＢインタフェースを持つメモリ記憶装置と比較すると、本発明によるメモリ記憶装置は、容易に持ち運ぶことができるように、ずっと薄く、軽く、短く、そして、サイズが小さい。そのため、本発明が、新規で、創造的で、かつ、進んだ発明ではないとは言えない。
【００２６】
本発明において開示されている平面電極接点ＵＳＢ接続デバイスは、コネクタを提供していないし、特に実践（ｐｒａｃｔｉｃｅ）において可搬性を満足しなければならないため、インタフェースコントローラの動作状態とシステムにより表示されている動作状態の間の時間差を考えることが必要である。すなわち、システムにより表示されている動作状態と実際のデバイスの動作状態の間の時間差を生成することが可能である。このことは、取り外し可能な可搬デバイスの設計に対して厳密に確認されなければならない点である。そうでなければ、個々の異なるシステム設計のために、ユーザを誤りに導く可能性が非常に高く、その結果、デバイスは、その仕事を完了する前に誤って取り外され、デバイス内のデータが損傷を受けることになる。
【００２７】
しかし、標準のＵＳＢインタフェース信号は、解決策を提供するのに十分でないため、上述の問題を完全に解決するために、本発明において、新たなインタフェース信号が設計されている。図１５を参照すると、インタフェース信号フレームワーク５０８（図６の回路板２０２に対応している）は、動作電圧を提供する電源（ＶＢＵＳ）、Ｄ＋とＤ−信号を含む信号グループ、標準のＵＳＢインタフェース信号グループを構成するグラウンド信号（電源ＧＮＤ）を備えている。本発明と通常のＵＳＢインタフェース信号の差は、さらに、装置動作信号グループが提供されていることである。動作信号グループは、装置の動作状態を示す動作信号を提供しており、Ｄ＋とＤ−信号は、標準のＵＳＢインタフェースの仕様に合うデータ信号である。装置動作信号グループは、必要な回路により、装置端が装置端のコントローラに接続されることにより供給される。
【００２８】
その中で、電源（ＶＢＵＳ）は、電源が、異なる仕様の動作電圧を提供することが可能であるように、５ボルト、３．３ボルト、２．５ボルト、１．８ボルトを提供することができる。装置動作信号グループは、動作信号Ｗ／Ｒおよび電源提供信号Ｐを含んでいる。デバイスが、ＵＳＢメモリカードのようにメモリ記憶装置として設計されている場合、動作信号Ｗ／Ｒは、任意のデータがインタフェース上を伝送されているかどうか（読み込み／書き込み）を示している。デバイスがＵＳＢネットワークカードのように入力／出力装置である場合、動作信号Ｗ／Ｒは、任意のデータがインタフェース上を伝送されているかどうか（アップロード／ダウンロード）を示している。
【００２９】
図１６を参照すると、インタフェース信号フレームワークを持つ回路図が説明されている。Ｗ／Ｒ動作信号は、インタフェースコントローラ５０９により供給され、データがＵＳＢインタフェース上を伝送されるとすぐ、デバイスの外の部分に配置されているＬＥＤのような信号光源がＷ／Ｒ信号を介してトリガされることができる。そのため、ユーザは、デバイスが誤ってシステムから外されることを防ぐために、外部信号光源１１４Ｃを通してインタフェースコントローラの実際の動作状態を確認できる。
【００３０】
デバイスが、標準のＵＳＢインタフェーススロットソケットに対して使用される時、標準のＵＳＢインタフェースはＷ／Ｒ信号を提供しないため、デバイス自身がデータ信号光源を有していなければならない。一方、Ｗ／Ｒ信号は、デバイス内に配置されている信号光源１１４Ａをトリガすることができる。同じように、電源供給信号Ｐは駆動されるための同じ原理を提供する。再び、図１６を参照すると、ＵＳＢインタフェースが挿入されるとすぐに、インタフェースコントローラ５０９は、ホスト上に配置されている信号光源１１４Ｄをトリガするために、電源提供信号Ｐを提供することができる。信号光源１１４Ｄは、デバイスが電気消費動作の状態にあるか、または、電気消費警告の状態にあるかを示すために使用される。
【００３１】
本発明は、その好ましい実施形態を参照して説明されてきたが、付随する請求項において記載されている、本発明の精神から逸脱することなく修正または変更が容易にされてもよいことが理解されるべきである。
【図面の簡単な説明】
【００３２】
【図１】通常（従来）のＵＳＢコネクタ（左側）と挿入されたソケット（右側）を説明する斜視図である。
【図２】本発明による低い高さのＵＳＢコネクタの斜視図である。
【図３】本発明による低い高さのＵＳＢコネクタを持つ２重インタフェースメモリカードのブロック図である。
【図４】本発明による低い高さのＵＳＢコネクタを持つ２重インタフェースメモリカードの実施形態を説明する斜視図である。
【図５】本発明の低い高さのＵＳＢコネクタを持つＵＳＢインタフェースメモリカードの実施形態を説明する斜視図である。
【図６】本発明による、ＵＳＢコネクタ無しの平面電極接点の分解された斜視図および組み立てられた斜視図である。
【図７】本発明による、ＵＳＢインタフェースメモリカードのＵＳＢコネクタ無しの平面電極接点のシステムブロック図である。
【図８】本発明による、ＵＳＢインタフェースメモリカードのＵＳＢコネクタ無しの平面電極接点の斜視図である。
【図９】本発明による、ＵＳＢコネクタ無しの平面電極接点を持つ２重インタフェースメモリカードのシステムブロック図である。
【図１０】本発明による、ＵＳＢコネクタ無しの平面電極接点を持つ２重インタフェースメモリカードの横断面図である。
【図１１】本発明の２重インタフェースメモリカードの分解した斜視図である。
【図１２】本発明の２重インタフェースメモリカードの平面図である。
【図１３】本発明の２重インタフェースメモリカードの底面図である。
【図１４】カバーガードがメモリカードに取り付けられていることを説明する、本発明の２重インタフェースメモリカードの斜視図である。
【図１５】本発明による、インタフェース信号のフレームワークを説明する略図である。
【図１６】インタフェース信号のフレームワークに基づく回路図である。
【符号の説明】
【００３３】
１００ ＵＳＢ低い高さのコネクタ
１０１ 金属端子
１０２ ２つの突起片
１０２Ａ、１１２Ａ 外部凹所
１０３ コネクタ部
１０４Ａ 、１１３Ａ、１１４ ケーシング
２０１、２０２ プリント回路基板
２０２Ａ 回路部品
１４０ ２重インタフェースコントローラ
１５０ システムコネクタ
１６０ 内部メモリ
７０ メモリカード
７１ カバーガード
７２ 露出コネクタ
７３、２０２Ｂ、２０２Ｃ 読み取り専用スイッチ
７５、１１４Ａ 信号光源
１１０、３００Ａ ＵＳＢコネクタ
１１１、１１１Ａ 金属接続片
１１２ フールプルーフ突起片
１１３ ベース
５００、５００Ａ システム
５０１ ＵＳＢ金接点
５０２ ＵＳＢコントローラ
５０３ メモリ部品アレイ
５０４ ＵＳＢ平面電極接点
５０５ コネクタ
５０６ コントローラ
５０７ メモリアレイのグループ
３００ ＵＳＢインタフェースコネクタ
４００ インタフェース端
３０１ 移動可能カバーガード
５０８ インタフェース信号フレームワーク
５０９ インタフェースコントローラ
ＶＢＵＳ 電源
Ｐ 電源供給信号
Ｗ／Ｒ 動作信号
ＧＮＤ グラウンド信号
ｈ 標準のＵＳＢインタフェーススロットソケットの内部空間の高さ
１１４Ｃ、１１４Ｄ 外部信号光源
１１４Ｂ 電源信号光源
【図１】
2007115265.tif 000003
【図２】
2007115265.tif 000004
【図３】
2007115265.tif 000005
【図４】
2007115265.tif 000006
【図５】
2007115265.tif 000007
【図６】
2007115265.tif 000008
【図７】
2007115265.tif 000009
【図８】
2007115265.tif 000010
【図９】
2007115265.tif 000011
【図１０】
2007115265.tif 000012
【図１１】
2007115265.tif 000013
【図１２】
2007115265.tif 000014
【図１３】
2007115265.tif 000015
【図１４】
2007115265.tif 000016
【図１５】
2007115265.tif 000017
【図１６】
2007115265.tif 000018